(57)【要約】【課題】気圧センサーを搭載した防水型のタッチ入力式電子機器において、気圧センサーの検出精度を高く維持する。【解決手段】本発明に係るタッチ入力式電子機器においては、防水が施された内部空間を有する本体１の表面に、タッチ入力のための操作面が設けられ、前記内部空間には、気圧センサー81が配備されている。本体１の表面には空気孔51が開設されると共に、本体１の内部には、空気孔51から気圧センサー81へ通じる通気路13が形成されており、該空気孔51は通気性防水シート９によって塞がれている。【選択図】図６
2014120655.tif 000002
【特許請求の範囲】
【請求項１】
防水が施された内部空間を有する本体の表面に、タッチ入力のための操作面が設けられ、前記内部空間には、気圧センサーが配備されている電子機器において、前記本体の表面には空気孔が開設されると共に、該本体の内部には、該空気孔から前記気圧センサーへ通じる通気路が形成されており、該空気孔は通気性防水シートによって塞がれていることを特徴とするタッチ入力式電子機器。
【請求項２】
前記本体は、防水パッキンを介して互いに接合された一対の本体シャーシを具え、両本体シャーシの間に、前記内部空間が形成され、一方の本体シャーシに前記空気孔が開設されている請求項１に記載のタッチ入力式電子機器。
【請求項３】
前記一対の本体シャーシの間には、電子部品を保持するためのホルダーが介在し、該ホルダーを挟んで両側に、前記空気孔と気圧センサーが位置し、該ホルダーには、前記通気路の一部を形成すべき貫通孔が開設されている請求項２に記載のタッチ入力式電子機器。
【発明の詳細な説明】
【技術分野】
【０００１】
本発明は、防水構造を有する本体の表面にタッチ入力のための操作面が設けられている携帯電話機等の電子機器に関するものである。
【背景技術】
【０００２】
従来、携帯電話機等の電子機器においては、電子部品を内蔵した本体の防水を図ることによって、不慮の浸水による電子部品の故障を防止することが行なわれている。
【０００３】
又、携帯電話機等の電子機器においては、機器本体に気圧センサーを内蔵して、該気圧センサーによって検出した周囲の気圧に基づいて、種々の機能を実現することが提案されている(特許文献１、２)。
【先行技術文献】
【特許文献】
【０００４】
【特許文献１】特開２００８−２８２２２６号公報
【特許文献２】特開２０１２−３９２２８号公報
【発明の概要】
【発明が解決しようとする課題】
【０００５】
そこで、防水型の電子機器において気圧センサーを搭載することが考えられる。この様な電子機器においては、防水構造を有する本体の内部空間に気圧センサーが搭載されることなる。
【０００６】
しかしながら、この様な電子機器においては、本体の内部空間が気密性を有しており、本体の表面にはタッチ入力のためのタッチパ操作面が設けられているので、タッチ操作面を押圧操作する度に、本体の内部空間が収縮膨張を行なうこととなり、これに伴って内部空間の圧力が変動し、気圧センサーの検出値に誤差が生じる問題があった。
【０００７】
本発明の目的は、気圧センサーを搭載した防水型のタッチ入力式電子機器において、気圧センサーの検出精度を高く維持することである。
【課題を解決するための手段】
【０００８】
本発明に係るタッチ入力式電子機器においては、防水が施された内部空間を有する本体(１)の表面に、タッチ入力のためのタッチ操作面(10)が設けられ、前記内部空間には、気圧センサー(81)が配備されている。
ここで、前記本体(１)の表面には空気孔(51)が開設されると共に、該本体(１)の内部には、該空気孔(51)から前記気圧センサー(81)へ通じる通気路(13)が形成されており、該空気孔(51)は通気性防水シート(９)によって塞がれている。
【０００９】
上記本発明のタッチ入力式電子機器によれば、本体(１)の表面に、気圧センサー(81)へ通じる空気孔(51)が開設されているので、タッチ操作面(10)を押圧操作する度に、本体(１)の内部空間が収縮膨張を行なったとしても、該膨張収縮に伴って空気孔(51)から空気が流出し、或いは空気孔(51)へ空気が流入して、気圧センサー(81)の近傍空間は本体(１)の周囲と同一の気圧に維持される。従って、気圧センサーの検出値に誤差は生じない。
尚、空気孔(51)は通気性防水シート(９)によって塞がれているので、空気孔(51)から水が浸入する虞はなく、空気の流出及び流入だけが許容される。
【００１０】
具体的態様において、前記本体(１)は、防水パッキン(６)を介して互いに接合された一対の本体シャーシ(４)を具え、両本体シャーシ(４)(５)の間に、前記内部空間が形成され、一方の本体シャーシ(５)に前記空気孔(51)が開設されている。
【００１１】
そして、前記一対の本体シャーシ(４)(５)の間には、電子部品を保持するためのホルダー(７)が介在し、該ホルダー(７)を挟んで両側に、前記空気孔(51)と気圧センサー(81)が位置し、該ホルダー(７)には、前記通気路(13)の一部を形成すべき貫通孔(72)が開設されている。
【００１２】
該具体的態様によれば、本体の空気孔(51)と気圧センサー(81)との間には、ホルダー(７)が介在するが、該空気孔(51)と気圧センサー(81)とは該ホルダー(７)の貫通孔(72)を経て繋がっているので、通気路(13)がホルダー(７)によって遮断されることはなく、気圧センサー(81)の検出動作に大きな応答の遅れや検出誤差が生じることはない。
【発明の効果】
【００１３】
本発明に係るタッチ入力式電子機器によれば、気圧センサーの検出精度を高く維持することが出来る。
【図面の簡単な説明】
【００１４】
【図１】図１は、本発明の一実施形態である携帯電話機の斜視図である。
【図２】図２は、該携帯電話機の背面を示す斜視図である。
【図３】図３は、本体から電池蓋を取り外した状態を示す斜視図である。
【図４】図４は、背面側本体シャーシと防水パッキンを示す斜視図である。
【図５】図５は、前面側本体シャーシと背面側本体シャーシの分解斜視図である。
【図６】図６は、本発明の要部を示す一部破断斜視図である。
【発明を実施するための形態】
【００１５】
以下、本発明を携帯電話機に実施した形態につき、図面に沿って具体的に説明する。
本発明の一実施形態である携帯電話機は、図１及び図２に示す如く、タッチパネル及びディスプレイを内蔵した本体(１)を具え、該本体(１)の表面は前面側カバーパネル(２)と背面側カバーパネル(３)によって覆われており、背面側カバーパネル(３)には電池蓋(31)が着脱可能に取り付けられている。
【００１６】
そして、前面側カバーパネル(２)には、前記ディスプレイによる画像表示と前記タッチパネルによるタッチ入力が可能となるタッチ操作面(10)が露出し、電池蓋(31)には、カメラ撮影のための撮影窓(11)が露出している。
タッチ操作面(10)をタッチすることによって、種々の情報を入力することが出来る。
【００１７】
本体(１)は、図５に示す如く、互いに接合された合成樹脂製の前面側本体シャーシ(４)と背面側本体シャーシ(５)とを具え、両本体シャーシ(４)(５)の間には、カメラ設置部(71)を有する合成樹脂製のホルダー(７)が介在している。
背面側本体シャーシ(５)には、周壁(53)によって包囲される電池収容室(12)が形成されている。
【００１８】
前面側本体シャーシ(４)と背面側本体シャーシ(５)との間には、図４に示すリング状の防水パッキン(６)が介在して、本体(１)の内部空間に対する防水構造が構成されている。又、図３に示す如く本体(１)の電池収容室(12)を覆って前記電池蓋(31)が取り付けられることにより、電池収容室(12)に対する防水が図られることになる。
【００１９】
図６に示す如く、本体(１)内の防水が図られた内部空間には、回路基板(８)が収容され、該回路基板(８)には、複数の電子部品と共に、気圧センサー(81)が搭載されている。
【００２０】
又、図５に示す如く、背面側本体シャーシ(５)には、該背面側本体シャーシ(５)を貫通して前記内部空間へ通じる空気孔(51)が開設されており、該空気孔(51)は、図６に示す如く背面側本体シャーシ(５)の内面側から、通気性防水シート(９)によって塞がれている。
通気性防水シート(９)は、空気の通過は許容するが水の通過は阻止するものである。
【００２１】
尚、回路基板(８)上の気圧センサー(81)と、背面側本体シャーシ(５)の空気孔(51)とは、部品レイアウト等の都合で、回路基板(８)の表面に沿う方向へ位置がずれているが、互いに出来るだけ接近するように配置されている。
【００２２】
又、ホルダー(７)には、該ホルダー(７)を貫通する貫通孔(72)が開設されており、該貫通孔(72)には、背面側本体シャーシ(５)に突設された円筒状のボス(52)が、十分な余裕をもって挿入されている。該ボス(52)には、背面側本体シャーシ(５)に埋設されたアンテナ(図示省略)を回路基板(８)上の接点部材(82)に電気接続するための金属ピン(図示省略)が取り付けられる。
【００２３】
そして、背面側本体シャーシ(５)には、空気孔(51)から、ボス(52)の外周面と貫通孔(72)の内周面との間に形成されている円筒状空間を経て、気圧センサー(81)の表面へ至る、通気路(13)が形成されている。
【００２４】
尚、背面側本体シャーシ(５)の空気孔(51)は、背面側本体シャーシ(５)に取り付けられる電池蓋(31)によって覆われるが、該空気孔(51)は背面側本体シャーシ(５)と電池蓋(31)との間の防水構造の外側に位置するため、該空気孔(51)は、背面側カバーパネル(３)と電池蓋(31)の間の隙間等から本体(１)の外部空間へ通じることになる。
【００２５】
上記携帯電話機においては、入力のためにタッチ操作面(10)を押圧操作する度に、前面側本体シャーシ(４)及び背面側本体シャーシ(５)が僅かに弾性変形して、本体(１)の内部空間が収縮膨張を行なうが、背面側本体シャーシ(５)には空気孔(51)が開設されて、該空気孔(51)から気圧センサー(81)へ至る通気路(13)が形成されているので、該膨張収縮に伴って空気孔(51)から空気が流出し、或いは空気孔(51)へ空気が流入して、気圧センサー(81)の近傍空間は本体(１)の周囲と同一の気圧に維持される。
【００２６】
ここで、前面側本体シャーシ(４)と背面側本体シャーシ(５)の間にはホルダー(７)が介在しているが、ホルダー(７)に開設されている貫通孔(72)が通気路(13)の一部を形成しているので、通気路(13)がホルダー(７)によって遮断されることはない。従って、気圧センサー(81)の検出動作に大きな応答の遅れや検出誤差が生じることはなく、周囲の気圧を高い精度で検出することが出来る。
そして、気圧センサー(81)による気圧検出に基づいて、高度測定等の種々の機能が実現されることになる。
【００２７】
尚、本発明の各部構成は上記実施の形態に限らず、特許請求の範囲に記載の技術的範囲内で種々の変形が可能である。又、本発明は携帯電話機に限らず、タッチ操作面を有する種々の電子機器に実施することが出来る。
【符号の説明】
【００２８】
(１)  本体
(10)  タッチ操作面
(13)  通気路
(２)  前面側カバーパネル
(３)  背面側カバーパネル
(31)  電池蓋
(４)  前面側本体シャーシ
(５)  背面側本体シャーシ
(51)  空気孔
(６)  防水パッキン
(７)  ホルダー
(72)  貫通孔
(８)  回路基板
(81)  気圧センサー
(９)  通気性防水シート
【図１】
2014120655.tif 000003
【図２】
2014120655.tif 000004
【図３】
2014120655.tif 000005
【図４】
2014120655.tif 000006
【図５】
2014120655.tif 000007
【図６】
2014120655.tif 000008